(57)【要約】      （修正有）【課題】設置現場にて行われる保守の作業性を高めることができる移動具及び支持具を提供する。【解決手段】略直方体をなす固定体８との相対移動が可能な可動体７を備える機器Ａの前記可動体に取付けられ、把持されて前記可動体を移動させるための移動具であり、前記可動体の一面に該一面に沿って取付けられる角柱形の杆体１と、該杆体の長手方向両側に固定される二つの取手２とを備え、保守の際、可動体の一面及び他面に杆体を取付けることにより、機器の設置現場で可動体を簡易に移動させることができるようにした。【選択図】図６
2010050845.tif 000002
【特許請求の範囲】
【請求項１】
略直方体をなす固定体及び略直方体をなし、該固定体との相対移動が可能な可動体を備える機器の前記可動体に取付けられ、把持されて前記可動体を移動させるための移動具であって、前記可動体の一面に該一面に沿って取付けられる杆体及び該杆体に固定される取手を備えることを特徴とする移動具。
【請求項２】
前記取手を二つ備え、前記杆体の長手方向へ離隔した位置に固定されている請求項１記載の移動具。
【請求項３】
前記取手は、前記杆体の長手方向へ離隔した複数の位置に固定される固定部及び固定部夫々にその端部が結合される把持部を有する請求項１又は２記載の移動具。
【請求項４】
前記可動体の一面に嵌合孔が開設されており、前記杆体は、長手方向へ離隔した複数の位置に、前記嵌合孔に嵌入されるべき突起を有する請求項１〜３のいずれか一つに記載の移動具。
【請求項５】
前記杆体は角柱形をなし、長手方向へ離隔した位置に前記固定部及び突起を配してある請求項４記載の移動具。
【請求項６】
略直方体をなす固定体及び略直方体をなし、該固定体との相対移動が可能な可動体を備える機器の前記可動体に取付けられ、該可動体を支持するための支持具であって、前記可動体の一面に取付けられる取付部と、該取付部を昇降を自在に支持する支持部及び前記取付部を昇降させる昇降機構とを備えることを特徴とする支持具。
【請求項７】
前記昇降機構は、その長手方向が上下となるように前記支持部に設けてあるラックと、該ラックに噛合し、前記取付部に設けてあるピニオン及び該ピニオンを回転させる操作体とを有する請求項６記載の支持具。
【請求項８】
前記支持部は上下に離隔して目盛を刻設してあり、該目盛に対応する指針を前記取付部に設けてある請求項６又は７記載の支持具。
【発明の詳細な説明】
【技術分野】
【０００１】
本発明はテレビジョン等の機器が保守される際、該機器の可動体に取付けられる移動具及び支持具に関する。
【背景技術】
【０００２】
前側に表示面を有するテレビジョン等の表示装置は略直方体をなし、前記表示面を有する表示パネルと、該表示パネルの周縁部を被覆する額縁状の前キャビネットと、表示パネルを後側で支持する支持体と、回路基板等が収容保持されている後キャビネットとを備え、前キャビネット、表示パネル及び支持体を取外すことにより、表示パネル、回路基板等の保守を行うことができるように構成されている（例えば、特許文献１参照）。
【０００３】
また、表示パネルを支持する支持枠に、スタンド取付用の二つの支柱を横方向に離隔して並設し、回路基板を箱体に収容してなる回路モジュールに把手を設け、該把手を把持して回路モジュールを前記支柱の途中に容易に取付けることができるように構成された表示装置も知られている（例えば、特許文献１参照）。
【０００４】
また、テレビジョン等の表示装置は、益々大型化の一途をたどっており、表示パネル及び表示パネルを支持する支持体等の質量が重くなっているため、表示装置の全体を工場等に搬送して保守を行うことは困難である。因って、表示パネルの交換、光源の交換等の保守は、表示装置の設置現場にて行われる。
【特許文献１】特開平１０−１４３０９２号公報
【特許文献２】特開２００６−３３７９７３号公報
【発明の開示】
【発明が解決しようとする課題】
【０００５】
ところが、特許文献１記載の表示装置にあっては、表示パネル等に取手等の把持手段が設けられていないため、保守のために取外しされた表示パネルを作業者が保持して移動させる作業が行い難く、保守の作業性が低いという問題がある。
【０００６】
また、特許文献２記載の表示装置にあっては、回路モジュールに把手が設けられているため、保守のために取外しされた回路モジュールを、把手を把持して容易に移動させることができる。しかし、回路モジュールの把手は、回路モジュールの一部として設けられているため、回路モジュールと同様に例えば表示パネルに把手が設けられた場合、表示パネルを被覆するキャビネットが把手に対応して大型となり、表示装置の全体が大型になるという問題があり、把手を予め設けることは困難である。
【０００７】
また、従来の表示装置において、保守の容易性を考慮して、表示パネルの一側が支持体に枢支され、表示パネルを前後方向へ回動を可能に構成した場合、回動された表示パネルの荷重が枢支部に集中的に加わることになるという問題がある。
【０００８】
本発明は斯かる事情に鑑みてなされたものであり、主たる目的は固定体との相対移動が可能な可動体の一面に該一面に沿って取付けられる杆体及び該杆体に固定される取手を備える移動具とすることにより、設置現場にて行われる保守の作業性を高めることができる移動具を提供することにある。
【０００９】
また、他の目的は固定体との相対移動が可能な可動体の一面に取付けられる取付部と、該取付部を昇降を自在に支持する支持部及び前記取付部を昇降させる昇降機構とを備える支持具とすることにより、設置現場にて行われる保守の作業性を高めることができる支持具を提供することにある。
【課題を解決するための手段】
【００１０】
本発明に係る移動具は、略直方体をなす固定体及び略直方体をなし、該固定体との相対移動が可能な可動体を備える機器の前記可動体に取付けられ、把持されて前記可動体を移動させるための移動具であって、前記可動体の一面に該一面に沿って取付けられる杆体及び該杆体に固定される取手を備えることを特徴とする。
【００１１】
この発明にあっては、可動体を交換する等の保守を行うとき、可動体の一面に、一つの移動具の杆体を前記一面に沿って取付け、同様に可動体の他辺に、他の移動具の杆体を前記他面に沿って取付けることにより、可動体の一面及び他面を杆体で補強することができ、この杆体に取手が固定されているため、取手を把持して可動体を容易に移動させることができ、設置現場にて行われる保守の作業性を高めることができる。
【００１２】
また、本発明に係る移動具は、前記取手を二つ備え、前記杆体の長手方向へ離隔した位置に固定されている構成とするのが好ましい。
この発明にあっては、二人の作業者が可動体を持上げることができない質量の可動体であっても、可動体の一面に取付けられた杆体の二つの取手を二人の作業者が個別に把持し、可動体の他面に取付けられた杆体の二つの取手を他の二人の作業者が個別に把持し、可動体を四人の作業者で持上げることができるため、質量の重い可動体を備える機器の保守の作業性を高めることができる。
【００１３】
また、本発明に係る移動具は、前記取手は、前記杆体の長手方向へ離隔した複数の位置に固定される固定部及び固定部夫々にその端部が結合される把持部を有する構成とするのが好ましい。
この発明にあっては、両手で把持し易いように比較的長く形成される把持部と、比較的短く形成される固定部とを個別に形成することができるため、取手を大形にすることなく、該取手の剛性を高めることができる。
【００１４】
また、本発明に係る移動具は、前記可動体の一面に嵌合孔が開設されており、前記杆体は、長手方向へ離隔した複数の位置に、前記嵌合孔に嵌入されるべき突起を有する構成とするのが好ましい。
この発明にあっては、可動体の一面に杆体が取付けられるとき、可動体の一面に開設されている嵌合孔に杆体の突起を嵌入することにより、可動体の質量を、突起から杆体に加えることができるため、可動体の質量が杆体の取付部に集中するのを防ぐことができ、移動具の全体の剛性を高めることができる。
【００１５】
また、本発明に係る移動具は、前記杆体は角柱形をなし、長手方向へ離隔した位置に前記固定部及び突起を配してある構成とするのが好ましい。
この発明にあっては、杆体の平坦面を可動体の一面に面接触させることができるため、杆体を強固に取付けることができ、また、固定部及び突起を杆体の長手方向へ離隔して配してあるため、杆体の剛性を高めることができる。
【００１６】
また、本発明に係る支持具は、略直方体をなす固定体及び略直方体をなし、該固定体との相対移動が可能な可動体を備える機器の前記可動体に取付けられ、該可動体を支持するための支持具であって、前記可動体の一面に取付けられる取付部と、該取付部を昇降を自在に支持する支持部及び前記取付部を昇降させる昇降機構とを備えることを特徴とする。
この発明にあっては、可動体を交換する等の保守を行うとき、可動体の一面に、一つの支持具の取付部を取付け、同様に可動体の他面に、他の支持具の取付部を取付けることにより、可動体の一面及び他面を支持具で支持することができ、この支持した状態で可動体を昇降機構により昇降させることができるため、設置現場にて行われる保守の作業性を高めることができる。
【００１７】
また、本発明に係る支持具は、前記昇降機構は、その長手方向が上下となるように前記支持部に設けてあるラックと、該ラックに噛合し、前記取付部に設けてあるピニオン及び該ピニオンを回転させる操作体とを有する構成とするのが好ましい。
この発明にあっては、その長手方向が上下となるラックに対して取付部を横方向に突出させることができるため、可動体の下部に障害物がある場合でも取付部を可動体に容易に取付けることができ、保守の作業性を高めることができる。
【００１８】
また、本発明に係る支持具は、前記支持部は上下に離隔して目盛を刻設してあり、該目盛に対応する指針を前記取付部に設けてある構成とするのが好ましい。
この発明にあっては、可動体の高さ調整を正確に行い易く、可動体の固定体に対する位置合わせを容易にでき、保守の作業性をより一層高めることができる。また、可動体の質量が該可動体の枢支部に集中するのを防ぐことができ、枢支部の耐久性を高めることができる。
【発明の効果】
【００１９】
本発明によれば、可動体を交換する等の保守を行うとき、可動体の一面に、一つの移動具の杆体を前記一面に沿って取付け、同様に可動体の他面に、他の保守具の杆体を前記他辺に沿って取付けることにより、可動体の一面及び他面を杆体で補強することができ、この杆体に取手が固定されているため、取手を把持して可動体を容易に移動させることができ、設置現場にて行われる保守の作業性を高めることができる。
【００２０】
また、本発明によれば、可動体を交換する等の保守を行うとき、可動体の一面に、一つの支持具の取付部を取付け、同様に可動体の他面に、他の支持具の取付部を取付けることにより、可動体の一面及び他面を支持具で支持することができ、この支持した状態で可動体を昇降機構により昇降させることができるため、設置現場にて行われる保守の作業性を高めることができる。
【発明を実施するための最良の形態】
【００２１】
以下本発明をその実施の形態を示す図面に基づいて詳述する。
図１は本発明に係る移動具により保守される液晶テレビジョンの構成を示す模式的斜視図、図２は液晶テレビジョンのキャビネットを取外した構成を示す模式的側面図である。
【００２２】
保守される液晶テレビジョンＡは、テレビ画像を表示する表示面を前側に有し、略直方体をなす表示パネル７と、該表示パネル７へ光を照射する光源を有し、表示パネル７を支持する支持体８と、表示パネル７の周縁部及び支持体８の後側を被覆するキャビネットと、支持体８を起立状態で支持してあるスタンド９とを備え、表示パネル７と支持体８との横方向一側が枢支部１０により相対回動を可能に枢支されており、保守される場合、表示パネル７の両側面に移動具が取付けられるものである。
【００２３】
液晶テレビジョンＡの表示パネル７は、パネル本体７１と、該パネル本体７１の周縁部を前後で保持する前保持枠体７２及び後保持枠体と、後保持枠体の後側に配されている拡散板等の光学シートと、該光学シートの周縁部後側に配され、前保持枠体７２及び後保持枠体を補強する補強枠体とがモジュールになっている。前保持枠体７２及び後保持枠体は環板部及び該環板部の外縁に連なる角枠部を有し、前保持枠体７２の角枠部が複数本の雄螺子で支持体８の周縁部に取外しを可能に取付けられており、また、前保持枠体７２の角枠部の両側面に、６個の取付孔７３と、３個の嵌合孔７４とが上下に離隔して開設されている。
【００２４】
液晶テレビジョンＡの支持体８は、光源８１と、前方へ開放されている略直方体をなし、光源８１を収容してあるケース８２と、該ケース８２の後側に取付けられているテレビ基板等の回路基板と、ケース８２の内側周縁部に取付けられている補強枠体とを備え、ケース８２の後面にスタンド９が取付けられている。
【００２５】
枢支部１０は枢軸を有する蝶番構造であり、表示パネル７の補強枠体及び支持体８の補強枠体に取付けられている。また、表示パネル７の枢支部１０側は支持体８に取付けられていない。
【００２６】
スタンド９は、複数の転動輪を有し、支持体８が起立状態で載置され、該支持体８等の荷重を受ける荷重受体９ａと、該荷重受体９ａより上方へ延出されている柱体と、該柱体及び前記ケース８２の後側の面に取付けられるべき取付具とを備えている。
【００２７】
液晶テレビジョンＡのキャビネットは、枠形をなし、表示パネル７の周縁部を被覆するキャビネット前分体と、深皿形をなし、支持体８の周縁部から後側を被覆するキャビネット後分体とを有し、キャビネット前分体及びキャビネット後分体が個別に取外しすることができるように支持体８の周縁部に取付けられている。
【００２８】
図３は移動具の構成を示す斜視図、図４は移動具の構成を示す分解斜視図、図５は移動具の構成を示す側面図である。
この移動具は、表示パネル７の両側面に長手方向を上下にして雄螺子３により取付けられる杆体１と、該杆体１の長手方向両側に雄螺子３ａにより固定される取手２，２とを有する。
【００２９】
杆体１は断面四角の角柱形をなすパイプからなり、表示パネル７の上下長さに対応した長さに形成されている。この杆体１は、取手２，２が取付けられる四つの第１孔１１と、表示パネル７の取付孔７３に対応する六つの第２孔１２と、三つの第３孔１３とが長手方向へ離隔した位置に開設されており、第３孔１３夫々に、表示パネル７の嵌合孔７４に対応する突起１４が雄螺子により固定されている。突起１４は比較的短い長さの円柱形をなし、中心部に挿通孔が開設されている。また、第１孔１１は、杆体１の一面側を小径とし、他面側を大径とし、比較的短い長さの円柱形をなすスペーサ１５を大径部に嵌入し、取手取付部分の剛性を高めてある。
【００３０】
取手２，２は、杆体１の長手方向へ離隔した二つの位置に固定される固定部２１と、固定部２１夫々にその両端部が結合される杆状の把持部２２とを有する。固定部２１はアルミニウム材の成形により略Ｌ字形をなし、一片に嵌入孔２１ａが開設され、他片に挿通孔２１ｂが開設され、雄螺子３ａを挿通孔２１ｂに挿入して第１孔１１に捩込むことにより固定部２１が杆体１に固定されている。把持部２２は両端に嵌入部を有する丸パイプからなり、嵌入部が嵌入孔２１ａに嵌入されている。
【００３１】
以上のように構成された移動具は、液晶テレビジョンＡの表示パネル７の補修又は交換、光源の補修又は交換等の保守作業に使用されるもので、杆体１、固定部２１、把持部２２及び突起１４が分解された状態で複数本の雄螺子とともに段ボール製の梱包箱に２組梱包され、運搬される。液晶テレビジョンの保守の際、液晶テレビジョンの設置現場で２組の移動具が図３に示すように組立てられる。
【００３２】
この組立ては、把持部２２の嵌入部が嵌入孔２１ａに嵌入された固定部２１の挿通孔２１ｂに雄螺子３ａを挿通し、杆体１の第１孔１１に捩込むことにより四つの固定部２１を固定、ひいては取手２，２を固定し、突起１４の挿通孔に雄螺子を挿通し、杆体１の第３孔１３に捩込むことにより三つの突起１４を固定する。
【００３３】
図６は移動具が液晶テレビジョンＡの一側面に取付けられる状態を示す斜視図、図７は移動具が液晶テレビジョンＡの他側面に取付けられた状態を示す側面図である。
【００３４】
液晶テレビジョンＡの表示パネル７の補修、光源の補修は、キャビネット９を取外し、表示パネル７の反枢支部側を支持体８に取付けてある雄螺子を弛緩した後、杆体１を表示パネル７の一側面にあてがい、杆体１の突起１４を表示パネル７の嵌合孔７４に嵌入するとともに、杆体１の第２孔１２に雄螺子３を挿通し、表示パネル７の一側面の取付孔７３に捩込むことにより移動具を表示パネル７の一側面に取付ける。因って、移動具の取手２，２を作業者が把持した状態で、枢支部１０を支点として表示パネル７を前方へ回動させることができ、表示パネル７及び支持体８の間を大きく開放することができる。
【００３５】
また、表示パネルの交換は、キャビネット９を取外し、表示パネル７の反枢支部側を支持体８に取付けてある雄螺子を弛緩した後、杆体１を表示パネル７の一側面にあてがい、杆体１の突起１４を表示パネル７の嵌合孔７４に嵌入するとともに、杆体１の第２孔１２に雄螺子３を挿通し、表示パネル７の一側面の取付孔７３に捩込むことにより移動具を表示パネル７の一側面に取付ける。この際、表示パネル７の一側面に取付けてある移動具の取手２，２を二人の作業者が把持する。
【００３６】
また、杆体１を表示パネル７の他側面にあてがい、杆体１の突起１４を表示パネル７の嵌合孔７４に嵌入するとともに、杆体１の第２孔１２に雄螺子３を挿通し、表示パネル７の他側面の取付孔７３に捩込むことにより移動具を表示パネル７の他側面に取付ける。この際、表示パネル７の他側面に取付けてある移動具の取手２，２を二人の作業者が把持する。この後、枢支部１０の表示パネル７への取付けを解除し、枢軸を抜取ることにより、表示パネル７を取外すことができ、四人の作業者により表示パネル７を移動させることができる。杆体１は、表示パネル７の上下長さに対応する長さに形成されており、該杆体１が長手方向を上下にして表示パネル７の両側面に取付けてあるため、杆体１により表示パネル７を補強することができ、表示パネル７の剛性を高めた状態で表示パネル７を移動させることができる。
【００３７】
図８は本発明に係る支持具の構成を示す側面図、図９は支持具の構成を示す正面図、図１０は支持具の構成を示す背面図、図１１は支持具の構成を示す平面図、図１２〜図１３は支持具の昇降機構部分の構成を示す概略断面図、図１４は支持具の昇降機構部分の構成を示す概略斜視図である。
【００３８】
この支持具は、表示パネル７の両側面に取付けられる取付部４と、取付部４を昇降を自在に支持する支持部５及び取付部４を昇降させる昇降機構６とを備える。
【００３９】
取付部４は、金属板を略コ字形に成形してなるブラケット４１と、該ブラケット４１に結合され、昇降機構６の歯車を回転自在に保持する保持体４２とを備える。
【００４０】
ブラケット４１は、表示パネル７の側面に固定される中央板部４１ａに、前記取付孔７３に対応する挿通孔４１ｂと、前記嵌合孔７４に対応する突起４１ｃとが設けられており、対向する両側板部の端末にフランジが設けられ、該フランジに保持体４２及び二つの係合体４３が結合されている。
【００４１】
保持体４２は前記フランジに結合される側に開放部を有する箱形をなし、該保持体４２の開放部側に、後記する目盛５５に対応する指針４４が設けられている。また、保持体４２には後記する操作体６５の回転を規制する規制部材４５が取外しを可能に嵌合保持されている。規制部材４５は一端にローレットを有する軸体からなり、ローレットに対応する嵌合孔が保持体４２に開設されている。
【００４２】
係合体４３は、後記する二つの案内条部に摺動を自在に係合する係合部４３ａを有し、取付部４が案内条部に沿って昇降することが可能になっている。
【００４３】
支持部５は、複数の転動輪を有し、平面視略Ｔ字形をなす架台５１と、離隔して対向する内側に長手方向が上下となる案内条部５２ａを有し、架台５１の中央部から立上がる二つの支柱５２，５２と、ラック歯を有し、該支柱５２，５２の間から立上がるラック５３とを備え、案内条部５２ａに係合体４３の係合部４３ａが摺動を自在に係合しており、また、ラック５３の一側に、上下に離隔して目盛５５を刻設してある。支柱５２，５２及びラック５３の上端は連結部材により連結されており、支柱５２，５２の両側面には二つの取手５４，５４が上下に離隔して設けられている。
【００４４】
昇降機構６は、ラック５３のラック歯に噛合するピニオン６１と、該ピニオン６１を支持する回転軸６２と、該回転軸６２に固定されたウォームホイール６３と、該ウォームホイール６３に噛合するウォーム６４と、該ウォーム６４の一端に取外しを可能に嵌合され、ウォーム６４を回転操作する操作体６５とを備え、ピニオン６１、ウォームホイール６３及びウォーム６４が保持体４２内に収容され、回転軸６２及びウォーム６４が保持体４２に回転を自在に保持されている。
【００４５】
操作体６５はグリップを有するアームからなり、回転操作力を、ウォーム６４、ウォームホイール６３及び回転軸６２を経てピニオン６１に伝達し、該ピニオン６１を一方向へ回転させることにより取付部４を上昇させ、ピニオン６１を他方向へ回転させることにより取付部４を下降させるように構成されている。
【００４６】
以上のように構成された支持具は、液晶テレビジョンＡの表示パネル７の交換、光源の交換等の保守作業に使用されるもので、２組が液晶テレビジョンの設置現場で使用される。
【００４７】
液晶テレビジョンＡの表示パネル７の補修又は交換は、キャビネット９を取外した後、支持具の取付部４の中央板部４１ａを表示パネル７の側面に当接させ、中央板部４１ａの突起４１ｃを表示パネル７の嵌合孔７４に嵌入するとともに、中央板部４１ａの挿通孔４１ｂに雄螺子を挿通し、表示パネル７の取付孔７３に捩込むことにより取付部４を表示パネル７の両側面に取付ける。この後、表示パネル７を支持体８に取付けてある複数本の雄螺子を弛緩し、表示パネル７を支持体８から取外す。この際、表示パネル７は、係合体４３を介して二つの支柱５２，５２に摺動を自在に支持されるとともに、昇降機構６を介してラック５３に支持され、起立した状態が維持される。
【００４８】
支持具が表示パネル７を支持した状態で、支持具を液晶テレビジョンＡの前方へ移動させることにより、表示パネル７を支持体８から離隔させることができる。また、規制部材４５を取外し、操作体６５を一方向へ回転操作することにより、操作体６５の回転操作力が、ウォーム６４、ウォームホイール６３及び回転軸６２を経てピニオン６１に倍加して伝達され、該ピニオン６１が噛合するラック歯を有するラック５３に沿って表示パネル７をスムーズに上昇させることができる。また、操作体６５を他方向へ回転操作することにより、操作体６５の回転操作力が、ウォーム６４、ウォームホイール６３及び回転軸６２を経てピニオン６１に倍加して伝達され、該ピニオン６１が噛合するラック歯を有するラック５３に沿って表示パネル７をスムーズに下降させることができる。
【００４９】
表示パネル７の高さを変更した後、規制部材４５を保持体４２の嵌合孔に嵌入することにより、操作体６５の他方向への回転を規制することができ、表示パネル７の高さを維持することができる。この際、表示パネル７の荷重が、ブラケット４１、係合体４３、保持体４２、回転軸６２、ウォームホイール６３及びウォーム６４を介して操作体６５に加わり、該操作体６５が規制部材４５に当接する。
【００５０】
図１５は液晶テレビジョンの表示パネルを交換する場合の説明図である。液晶テレビジョンＡの表示パネル７を交換する場合、新規の表示パネル７ａは、段ボール箱に梱包され、液晶テレビジョンＡの設置現場で開梱される（図１５参照）。梱包された表示パネル７ａは、枠状の支持台１００と、該支持台１００上に載置された二つの端緩衝体１０１，１０１及び中央緩衝体１０２とにより支持されている。端緩衝体１０１，１０１は略Ｌ字形をなし、立上片の中央部が取外しを可能に嵌合され、該中央部を取外すことにより、支持具の取付部４を端緩衝体１０１，１０１に嵌合することができるように構成されている。
【００５１】
因って、端緩衝体１０１，１０１の立上片の中央部を取外し、支持具の取付部４を端緩衝体１０１，１０１の中央部に嵌合した状態で、取付部４の突起４１ｃを表示パネル７ａ側面の嵌合孔７４に嵌入することができ、取付部４の挿通孔４１ｂに雄螺子を挿通して表示パネル７ａの取付孔７３に捩込むことにより取付部４を固定することができる。この後、操作体６５の操作で取付部４とともに表示パネル７ａを上昇させ、端緩衝体１０１，１０１及び中央緩衝体１０２を横方向へ引出、支持台１００を横方向へ引出すことができる。
【００５２】
支持具が支持した表示パネル７ａは、操作体６５の回転操作で適正な支持高さが調整された後、設置済液晶テレビジョンＡの支持体８の前側に移動され、表示パネル７ａの周縁部に開設されている挿通孔に雄螺子を挿通して取付孔に捩込むことにより、表示パネルの交換を終える。
【００５３】
以上説明した実施の形態では、表示パネル７の両側面に支持具の取付部４を取付け、表示パネル７を交換することについて説明したが、その他、表示パネル７の補修、光源の補修を行う場合は、表示パネル７の一側面の雄螺子の下半分を弛緩し、図８〜図１４に示す支持具の取付部４を雄螺子により取付けた後、表示パネル７の一側面の雄螺子の上半分を弛緩することにより、表示パネル７の反枢支部側を支持具で支持することができ、また、操作体６５を回転操作することにより取付部４の位置を簡易に調整することができ、枢支部１０を支点として表示パネル７を前方へ回動させることができる。
【００５４】
尚、以上説明した実施の形態では、長手方向を上下にして配される一つの杆体１の長手方向両側に取手２，２を設けてある構成としたが、その他、長手方向を上下にして配される二つの杆体１，１の夫々に取手２を設けてある構成としてもよいし、また、長手方向を上下にして配される四つの杆体１のうち、隣合う二つの杆体１，１に跨って取手２を設けてあり、隣合う残り二つの杆体１，１に跨って取手２を設けてある構成としてもよい。
【００５５】
また、以上説明した実施の形態では、昇降機構６として、ウォームギヤ、ラック５３及びピニオン６１を有する構成としたが、その他、ウォームギヤがなく、ラック５３及びピニオン６１を有する構成であってもよいし、また、ラック５３及びピニオン６１がなく、ウォームギヤを有する構成であってもよく、昇降機構の構成は特に制限されない。
【００５６】
また、以上説明した実施の形態では、保守される機器が液晶テレビジョンである場合について説明したが、その他、プラズマテレビジョン等の機器の保守に使用されてもよく、対象とする機器は特に制限されない。
【００５７】
また、以上説明した実施の形態では、スタンドを備える床置きタイプの機器が保守される場合について説明したが、その他、壁体に取付けられる壁掛けタイプの機器の保守に使用されてもよい。
【図面の簡単な説明】
【００５８】
【図１】本発明に係る移動具により保守される液晶テレビジョンの構成を示す模式的斜視図である。
【図２】本発明に係る移動具により保守される液晶テレビジョンのキャビネットを取外した構成を示す模式的側面図である。
【図３】本発明に係る移動具の構成を示す斜視図である。
【図４】本発明に係る移動具の構成を示す分解斜視図である。
【図５】本発明に係る移動具の構成を示す側面図である。
【図６】本発明に係る移動具が液晶テレビジョンの一側面に取付けられる状態を示す斜視図である。
【図７】本発明に係る移動具が液晶テレビジョンの他側面に取付けられた状態を示す側面図である。
【図８】本発明に係る支持具の構成を示す側面図である。
【図９】本発明に係る支持具の構成を示す正面図である。
【図１０】本発明に係る支持具の構成を示す背面図である。
【図１１】本発明に係る支持具の構成を示す平面図である。
【図１２】本発明に係る支持具の昇降機構部分の構成を示す概略断面図である。
【図１３】本発明に係る支持具の昇降機構部分の構成を示す概略断面図である。
【図１４】本発明に係る支持具の昇降機構部分の構成を示す概略斜視図である。
【図１５】本発明に係る支持具により保守される液晶テレビジョンの表示パネルを交換する場合の説明図である。
【符号の説明】
【００５９】
１    杆体
１４  突起
２    取手
２１  固定部
２２  把持部
４    取付部
４１ｃ  突起
４４  指針
５    支持部
５３  ラック
５５  目盛
６    昇降機構
６１  ピニオン
６５  操作体
７    表示パネル（可動体）
７４  嵌合孔
８    支持体（固定体）
【図１】
2010050845.tif 000003
【図２】
2010050845.tif 000004
【図３】
2010050845.tif 000005
【図４】
2010050845.tif 000006
【図５】
2010050845.tif 000007
【図６】
2010050845.tif 000008
【図７】
2010050845.tif 000009
【図８】
2010050845.tif 000010
【図９】
2010050845.tif 000011
【図１０】
2010050845.tif 000012
【図１１】
2010050845.tif 000013
【図１２】
2010050845.tif 000014
【図１３】
2010050845.tif 000015
【図１４】
2010050845.tif 000016
【図１５】
2010050845.tif 000017